(57)【要約】【課題】コンパクト化が可能で、画像形成部やトナークリーニング装置の温度制約を有効に保持でき、外部からのアクセスの安全性の高い画像形成装置を実現する。【解決手段】画像形成装置の定着装置７と画像形成部２ｄとの間に、遮熱装置８を設けて、定着装置と画像形成部の間を遮熱し、遮熱装置８と画像形成部２ｄとトナークリーニング装置６とにより気流経路Ａを形成し、気流経路Ａにファンにより気流を流通可能とし、遮熱装置８は、定着装置に向かって開く開口部を有し、定着装置への冷却気流に対するダクトを兼ね、開閉カバー９の開放動作に伴い、開口部２１とダクト入口部を開放し、開閉カバーを閉じた状態では記開口部とダクトの入口部を閉ざすことを特徴とする。【選択図】図１
2014006435.tif 000002
【特許請求の範囲】
【請求項１】
電子写真プロセスにより、１以上の感光体に、１以上のトナー画像を形成する画像形成部と、前記画像形成部に形成された１以上のトナー画像を、シート状記録媒体に転写する転写装置と、前記シート状記録媒体に転写されたトナー画像を、前記シート状記録媒体に熱定着する定着装置と、前記シート状記録媒体に転写されなかった転写残りトナーを、前記転写装置から除去するトナークリーニング装置と、装置本体に対して開閉して、開放時に前記装置本体内部に対するアクセスを可能とする開閉カバーと、前記装置本体の内外に気流を通じさせるファンと、を有する画像形成装置において、
耐熱性が高く、熱伝導率の低い材質で構成される遮熱装置を、前記定着装置と前記画像形成部との間に設けて、前記定着装置と前記画像形成部の間を遮熱するとともに、
前記遮熱装置と前記画像形成部と前記トナークリーニング装置とにより、気流経路を形成し、該気流経路に前記ファンにより気流を流通可能とし、
前記遮熱装置は、前記定着装置に向かって開く開口部を有し、前記定着装置への冷却気流に対するダクトを兼ねるとともに、前記ダクトの入口部を開閉する切換板と、前記開閉カバーの開閉動作に、前記切換板および前記開口部の開閉を連動させる連動機構と、を有し、
前記開閉カバーの開放動作に伴い、前記連動機構により、前記開口部と前記ダクトの入口部を開放し、開閉カバーを閉じた状態では、前記開口部と前記ダクトの入口部を閉ざすことを特徴とする画像形成装置。
【請求項２】
請求項１記載の画像形成装置において、
遮熱装置の連動機構が、開閉カバーに対して、該開閉カバーを閉じる方向への力を作用させる部材を有することを特徴とする画像形成装置。
【請求項３】
請求項１または２記載の画像形成装置において、
遮熱装置の連動機構が、一端側を開閉カバーに、他端側を遮熱装置の不動部材に固定されたワイヤと、このワイヤを巻き掛けられた滑車と、この滑車に対して、ダクト奥側への引っ張り力を作用させる緊縮性のバネ部材を有することを特徴とする画像形成装置。
【請求項４】
請求項１〜３の任意の１に記載の画像形成装置において、
遮熱装置が、開閉カバーが閉じたとき、該開閉カバーを装置本体側に固定する機能を有することを特徴とする画像形成装置。
【発明の詳細な説明】
【技術分野】
【０００１】
この発明は、画像形成装置に関する。
【背景技術】
【０００２】
電子写真方式の画像形成装置は、従来から、電子複写機、光プリンタ、ファクシミリ装置、プロッタや、これらの複合機能を有するＭＦＰ等として知られている。
【０００３】
このような画像形成装置における画像形成は、以下の如き電子写真プロセスによって行われる。
【０００４】
即ち、感光体の均一帯電と露光とにより静電潜像が形成され、この静電潜像を現像することによりトナー画像が形成される。
【０００５】
形成されたトナー画像は、転写紙やオーバヘッドプロジェクタ用のＯＨＰシート等のシート状記録媒体に転写され、定着装置によりシート状記録媒体に熱定着される。
【０００６】
トナー画像を熱定着されたシート状記録媒体は画像形成装置外へ排出される。
【０００７】
上記画像形成プロセスにおいて「電子写真プロセスにより、１以上の感光体に、１以上のトナー画像を形成する」部分を「画像形成部」と称する。
【０００８】
画像形成装置は、画像形成部に感光体を１以上有する。感光体を２以上用いる場合は、感光体ごとに「色の異なるトナー画像」が形成される。
【０００９】
そして、これら複数色のトナー画像が、同一のシート状記録媒体上に重ね合わせて転写・定着されて、多色画像あるいはカラー画像が形成される。
【００１０】
「画像形成装置」は、上記画像形成部とともに、転写装置、定着装置、トナークリーニング装置等を有する。
【００１１】
「転写装置」は、画像形成部に形成された１以上のトナー画像を、シート状記録媒体に転写する装置である。
【００１２】
転写装置は、トナー画像を、画像形成部の１以上の感光体上から、シート状記録媒体に直接的に転写する直接転写方式のものと、中間転写方式のものとがある。
【００１３】
中間転写方式では、一般に中間転写ベルトが用いられ、トナー画像は感光体上から中間転写ベルトに転写され、さらに、中間転写ベルトからシート状記録媒体に転写される。  
「定着装置」は、シート状記録媒体に転写されたトナー画像を、シート状記録媒体に熱定着する装置である。
【００１４】
「トナークリーニング装置」は、シート状記録媒体に転写されなかった「転写残りトナー」を、転写装置から除去する装置である。
【００１５】
画像形成部やこれら各種装置には「温度制約」が存在する。  
即ち、画像形成装置や上記各種装置は、その機能を適正に果たす上で、適当な温度範囲に置かれねばならない。
【００１６】
例えば、定着装置は「トナー画像を熱定着するために必要な高温度」に保持される必要がある。
【００１７】
一方、画像形成部は、露光を行う光学系の温度が適正範囲を超えると、光学系の機能が低下して、適正な露光を行なうことができなくなる。
【００１８】
また、現像部の温度が適正範囲を超えると、適正な現像が阻害される。
【００１９】
トナークリーニング装置では、温度が上昇すると、転写装置に残留している「転写残りトナー」が溶融して相互に固化し、クリーニングし難くなったりする。
【００２０】
あるいは、転写残りトナーを含む空間の温度上昇に伴い、該空間の空気が熱膨張して、転写残りトナーを画像形成装置本体に飛散させ、形成すべき画像を汚染する原因になる。
【００２１】
画像形成装置に含まれる上記各種装置の「温度制約による適正温度」は、定着装置と他の部分で異なっている。  
高温度に保持される定着装置からの熱が、各種装置に伝わってこれ等装置の温度を上昇させると、各種装置の温度制約が破られて、画像形成に悪影響を与える。  
それで、通常は「画像形成装置本体の内外に気流を通じさせるファン」を設け、定着装置近傍で熱せられた空気を、画像形成装置本体に溜まらないように排出させる。
【００２２】
あるいは、画像形成装置外部から「冷却風」を装置内に送り込んで、各種装置の温度上昇を防止する。
【００２３】
一方において、定着装置の温度は常に、定着可能な温度を維持する必要がある。  
ところで一般に、画像形成装置は、装置内部にアクセスできるようにするため「装置本体に対して開閉する開閉カバー」を有している。
【００２４】
例えば、シート状記録媒体である転写紙が「装置内でジャムしたような場合」に、ジャムした転写紙を除去するために、装置内部にアクセスする必要がある。
【００２５】
このような場合、作業者が不用意に「高温度の定着装置」に接触すると、火傷を負う恐れがある。
【００２６】
画像形成装置本体内に気流を発生させ、装置本体内の熱気を装置外に排出し、外部からの冷却風により「各種装置の温度上昇を抑制する」ことは従来から広く知られている。
【００２７】
例えば、特許文献１には、定着装置周辺の画像形成部やトナークリーニング装置の温度上昇を防ぐことができる画像形成装置が開示されている。
【００２８】
しかし「定着装置と、画像形成部やトナークリーニング装置を相互に近接配置」する場合、従来の構成では「ダクトの機能のみ」で空間が占有されてしまう。
【００２９】
このため画像形成装置内で、各種装置を近接配備することが難しく、画像形成装置のコンパクト化が容易でない。  
また、ユーザや作業者が装置内部にアクセスする場合、熱定着装置の温度が「火傷しない温度」まで冷却する時間が長く、作業性が悪い。
【発明の概要】
【発明が解決しようとする課題】
【００３０】
この発明は上述した事情に鑑みてなされたものである。
【００３１】
即ち、コンパクト化が可能で、画像形成部やトナークリーニング装置の温度制約を有効に保持でき、外部からのアクセスの安全性の高い画像形成装置の実現を課題とする。
【課題を解決するための手段】
【００３２】
この発明の画像形成装置は、電子写真プロセスにより、１以上の感光体に、１以上のトナー画像を形成する画像形成部と、画像形成部に形成された１以上のトナー画像を、シート状記録媒体に転写する転写装置と、シート状記録媒体に転写されたトナー画像を、シート状記録媒体に熱定着する定着装置と、シート状記録媒体に転写されなかった転写残りトナーを、転写装置から除去するトナークリーニング装置と、装置本体に対して開閉して、開放時に装置本体内部に対するアクセスを可能とする開閉カバーと、装置本体の内外に気流を通じさせるファンと、を有する画像形成装置において、耐熱性が高く、熱伝導率の低い材質で構成される遮熱装置を、定着装置と画像形成部との間に設けて、定着装置と画像形成部の間を遮熱するとともに、遮熱装置と画像形成部とトナークリーニング装置とにより、気流経路を形成し、該気流経路にファンにより気流を流通可能とし、遮熱装置は、定着装置に向かって開く開口部を有し、定着装置への冷却気流に対するダクトを兼ねるとともに、ダクトの入口部を開閉する切換板と、開閉カバーの開閉動作に、切換板および開口部の開閉を連動させる連動機構と、を有し、開閉カバーの開放動作に伴い、連動機構により、開口部とダクトの入口部を開放し、開閉カバーを閉じた状態では、開口部とダクトの入口部を閉ざすことを特徴とする。
【発明の効果】
【００３３】
この発明の画像形成装置では、定着装置と画像形成部との間が、遮熱装置により遮熱されるので、定着装置の熱が画像形成部に伝わり難い。
【００３４】
ファンにより気流を流通可能な「気流経路」が、遮熱装置と画像形成部とトナークリーニング装置により形成され、気流経路形成のための専用の部材を必要としない。  
気流経路形成のため、遮熱装置と画像形成部とトナークリーニング装置を近接して配置するので、画像形成装置のコンパクト化を測ることができる。
【００３５】
気流経路に流通する気流により、経路内の空気が装置外へ排出され、あるいは装置外からの空気で経路内の温度を下げることができる。
【００３６】
このため、気流経路の一部をなす画像形成部、トナークリーニング装置の「温度制約」を良好に維持できる。
【００３７】
遮熱装置は「定着装置への冷却気流に対するダクト」を兼ね、連動機構が、開閉カバーの開閉に連動して、切換板および開口部の開閉を行なう。
【００３８】
従って、開閉カバーを開くとダクトの入口と開口部が開き、冷却気流が定着装置を速やかに冷却するので、ユーザや作業者が装置内部にアクセスするときに、熱定着装置の温度が「火傷しない温度」まで冷却する時間を短くでき、作業性の向上が可能である。
【図面の簡単な説明】
【００３９】
【図１】画像形成装置の１例を説明する図である。
【図２】遮熱装置とその周囲を示す図である。
【図３】遮熱装置におけるダクト部を説明する図である。
【図４】開閉カバーを開いた状態と閉じた状態を説明する図である。
【図５】開閉カバーの開閉と遮熱装置の関係を説明する図である。
【図６】開閉カバーの開閉と、遮熱装置の連動機構の関係を説明する図である。
【図７】気流経路における気流を説明する図である。
【図８】定着装置を冷却する気流を説明する図である。
【発明を実施するための形態】
【００４０】
以下、実施の形態を説明する。  
図１は、この発明を適用される画像形成装置の１例を横方向から見た状態を、説明図的に示している。
【００４１】
図１において、符号１ａ〜１ｄは「露光装置」、符号２ａ〜２ｄは「作像プロセス部」、符号３ａ〜３ｄは「感光体」を示す。
【００４２】
符号４は「中間転写ベルト」、符号５は「２次転写ローラ」、符号６は「トナークリーニング装置」、符号７は「定着装置」を示す。  
符号８は「遮熱装置」、符号９は「開閉カバー」を示す。図１は、開閉カバー９を開いて、内部へのアクセスが可能となった状態を示している。
【００４３】
露光装置１ａ〜１ｄ、作像プロセス部２ａ〜２ｄ、感光体３ａ〜３ｄは「画像形成部」を構成している。
【００４４】
作像プロセス部２ａ〜２ｄは、感光体３ａ〜３ｄを均一に帯電させる帯電器と、現像装置と、クリーニング装置とを有している。
【００４５】
画像形成を行なうとき、感光体３ａ〜３ｄが、各作像プロセス部２ａ〜２ｄの帯電器で均一帯電される。
【００４６】
均一帯電された感光体３ａ〜３ｄは、対応する露光装置１ａ〜１ｄにより画像露光され、静電潜像を形成される。
【００４７】
感光体３ａ〜３ｄに形成された静電潜像は、作像プロセス部２ａ〜２ｄに含まれる現像装置によりそれぞれ現像され、感光体ごとにトナー画像が形成される。  
具体例を説明する。
【００４８】
感光体３ｄには「イエロー画像成分に対応する静電潜像」が形成され、この静電潜像は「イエロートナー」で現像され、感光体３ｄにイエロートナー画像が形成される。
【００４９】
感光体３ｃには「マゼンタ画像成分に対応する静電潜像」が形成され、この静電潜像は「マゼンタトナー」で現像され、感光体３ｃにマゼンタトナー画像が形成される。
【００５０】
感光体３ｂには「シアン画像成分に対応する静電潜像」が形成され、この静電潜像は「シアントナー」で現像され、感光体３ｄにシアントナー画像が形成される。
【００５１】
感光体３ａには「ブラック画像成分に対応する静電潜像」が形成され、この静電潜像は「ブラックトナー」で現像され、感光体３ｃにブラックトナー画像が形成される。
【００５２】
なお、上記画像形成プロセスにおいて、感光体３ａ〜３ｄは反時計回りに回転され、中間転写ベルト４は時計回りに回転される。
【００５３】
感光体３ｄ〜３ａに形成された各色トナー画像は、図示されない１次転写部材により、中間転写ベルト４上に順次、１次転写される。
【００５４】
即ち、先ず、イエロートナー画像が転写され、これに重なるように、マゼンタトナー画像、シアントナー画像、ブラックトナー画像が順次転写される。
【００５５】
これら４色のトナー画像は、中間転写ベルト４上で互いに重なり合って「カラートナー画像」を構成する。
【００５６】
シート状記録媒体として通常用いられる転写紙Ｐは、装置下方に配備されたカセット内に積載されて収納されている。
【００５７】
カラートナー画像を転写されるときは、最上位の１枚が給紙されて２次転写部、即ち、中間転写ベルト４と２次転写ローラ５の当接部へタイミングを計って送り込まれる。
【００５８】
中間転写ベルト４上のカラートナー画像は、２次転写ローラ５により、中間転写ベルト４上から転写紙Ｐ上に２次転写される。
【００５９】
カラー画像を転写された転写紙Ｐは、ついで、定着装置７に送られ、定着装置７においてカラートナー画像を定着されて画像形成装置外へ排出される。
【００６０】
２次転写の際に、転写紙Ｐ上に転写されずに中間転写ベルト４上に残留する「転写残りトナー」は、トナークリーニング装置６により中間転写ベルト４上から除去される。
【００６１】
即ち、図１に示す画像形成装置は、電子写真プロセスにより１以上の感光体３ａ〜３ｄにトナー画像を形成する画像形成部を有する。  
また、画像形成部に形成されたトナー画像を、シート状記録媒体Ｐに転写する転写装置４、５を有する。  
さらに、シート状記録媒体Ｐに転写されたトナー画像を、シート状記録媒体Ｐに熱定着する定着装置７を有する。  
また、シート状記録媒体Ｐに転写されなかった転写残りトナーを、転写装置４から除去するトナークリーニング装置６を有する。  
さらに、定着装置７と画像形成部との間に、定着装置７の熱を遮蔽するように遮熱装置８を有する。
【００６２】
そして、装置本体に対して開閉して、開放時に装置本体内部に対するアクセスを可能とする開閉カバー９を有する。
【００６３】
図２は、図１に「符号Ｚで示す部分（破線で囲んだ部分）」を拡大して示している。
【００６４】
図２に示す如く、遮熱装置８は、定着装置７と画像形成部（の作像プロセス部２ｄ）の間に配置されている。
【００６５】
遮熱装置８の、作像プロセス部２ｄに接する側には、遮熱装置８の一部として、スポンジ等の断熱材１５が貼り付けられて、両者の間隙を埋めている。
【００６６】
図２において符号Ａで示す部分は「気流経路」である。  
気流経路Ａは、遮熱装置８とトナークリーニング装置６と画像形成部（の作像プロセス部２ｄ）とにより囲まれた「図面に直交する方向に長い空間」として形成されている。
【００６７】
遮熱装置８は「耐熱性が高く、熱伝導の小さい材料」で構成され、定着装置７から伝熱される熱が小さくなるようにしている。
【００６８】
遮熱装置８の材料を例えば「耐熱性の樹脂材料」にすると、定着装置７の熱を遮蔽する効果が高い。
【００６９】
従って、画像形成部２ｄやトナークリーニング装置６の温度上昇を有効に抑制することができる。
【００７０】
遮熱装置８、画像形成部２ｄ、トナークリーニング装置６に囲まれた気流経路Ａに、後述のファンにより気流を形成し、「気流経路Ａに熱がこもる」のを防止する。  
又、この気流により、画像形成部２ｄやトナークリーニング装置６を冷却できる。
【００７１】
図３は、トナークリーニング装置６、定着装置７、遮熱装置８の部分を、図２におけるＹ方向から見た状態を示している。
【００７２】
遮熱装置８は、画像形成部側の面を取り除き「ダクト部分の内部」を示している。  
遮熱装置８の「ダクト」を構成する部分（トナークリーニング装置６の上位の部分）の内部には、図３に示すように、滑車１０、ガイドレール１１、バネ１２、ワイヤ１３、切換板１４が設けられている。
【００７３】
図４〜図８を参照して、これら各部の状態と開閉カバー９の開閉との関係を説明する。
【００７４】
なお、画像形成装置の構成は、図１に示したものと同一である。
【００７５】
従って、以下の説明に関連する図４〜図８においては、説明に必要な部分についてのみ符号を付することとする。
【００７６】
図４において、（ａ）は開閉カバー９を開いた状態を示し、（ｂ）は開閉カバー９を閉じた状態を示している。
【００７７】
開閉カバー９には、図３に示したワイヤ１３の一端が固定されている。  
開閉カバー９を開くと、開閉カバー９の開放動作によりワイヤ１３が引き出されて、図４（ａ）の如くになる。
【００７８】
開閉カバー９が閉じられた状態では、図４（ｂ）に示すように、ワイヤ１３は装置本体側に引き込まれた状態となる。
【００７９】
これら図４（ａ）、（ｂ）に示す状態を「透視斜視図」として示したのが、図５（ａ）および（ｂ）である。
【００８０】
開閉カバー９が開いた状態を示す図５（ａ）では、ワイヤ１３が引き出されており、閉じた状態を示す図５（ｂ）では、ワイヤ１３は装置本体側に引き込まれている。
【００８１】
開閉カバー９の開閉に伴う、ワイヤ１３等の動作について、図６（ａ）、（ｂ）を参照して説明する。
【００８２】
図６（ｂ）は、開閉カバー９が閉じている状態である。  
滑車１０には、ワイヤ１３が巻き掛けられ、ワイヤ１３の一端は、遮熱装置８の不動部材に固定され、他端は図６に図示されていない開閉カバー９に固定されている。  
滑車１０にはまた緊縮性のバネ１２の一端が固定されている。バネ１２の他端は、遮熱装置８の「奥側の不動部材」に固定されている。
【００８３】
開閉カバー９が開放されるとき、開放動作に従って、ワイヤ１３が開閉カバー９に引かれ、図６（ｂ）の左方へ向けて移動する。  
遮熱装置８の、ダクトを構成する部分におけるダクトの入口側には、図６に示すように切換板１４が設けられている。  
切換板１４は、図６（ｂ）に示すように「揺動軸の周りに時計まわり・反時計回りに回転できる」ようになっている。  
開閉カバー９が閉じているときは、切換板１４は、図６（ｂ）に示すように、ダクトの入口部を閉ざしている。
【００８４】
開閉カバー９が開かれると、開放動作に従って、滑車１０は図６（ｂ）の状態から左方へ移動する。  
滑車１０にはまた、蓋部材２２が一体化されて、滑車１０とともに変位するようになっている。
【００８５】
滑車１０の上記移動は、バネ１２の引っ張り力に抗して、ガイドレール１１に沿って行なわれる。  
ガイドレール１１には、図６（ａ）に示すように、開口部２１が穿設され、開口部２１は定着装置７に向けて開かれている。
【００８６】
開閉カバー９が閉じているとき、開口部２１は蓋部材２２により閉ざされている。  
滑車１０が上記の如く移動し、滑車１０とともに蓋部材２２が移動すると、図６（ａ）に示すように開口部２１が開放される。
【００８７】
開閉カバー９が「開ききる」と、滑車１０は、図６（ａ）に示す位置まで変位する。
【００８８】
このとき、図示されない適宜の機構により、切換板１４が反時計回りに回転し、図６（ａ）に示すように、ダクトの入口部分（図の左側の端部）を開放する。  
又、同時に、開口部２１が開口する。
【００８９】
即ち、遮熱装置８は、定着装置７に向かって開く開口部２１を有し、定着装置７への冷却気流に対するダクトを兼ねる。
【００９０】
そして、図６（ａ）に示すように、ダクトの入口部分が開放され、開口部２１が開口すると「定着装置への冷却気流に対するダクト」が形成されることになる。
【００９１】
開閉カバー９を閉じるときには、閉動作に従い、バネ１２が滑車１０と蓋部材２２を引き込み、蓋部材２２は開口部２１を閉ざす。
【００９２】
また、切換板１４が、図６（ａ）の状態から、時計回りに回転し、図６（ｂ）に示すようにダクトの入口部を閉ざす。
【００９３】
即ち、滑車１０、ガイドレール１１、バネ１２、ワイヤ１３、および切換板１４を開閉する機構（図示されず）は、前述の「連動機構」を構成する。
【００９４】
図７には、開閉カバー９が閉じているとき「気流経路（図２に符号「Ａ」で示す部分）における気流Ｃ」の様子を示している。
【００９５】
図７の状態では、開閉カバー９が閉じているために、遮熱装置８における「ダクトを構成する部分」は切換板１４、開口部２１ともに閉じている。
【００９６】
このとき、ファン２０を動作させ「装置本体内の空気を装置外に排出させる」と、図７の（ａ）、（ｂ）に示すように、気流経路を通る気流Ｃが生じる。  
気流Ｃは、気流経路内の「暖まった空気」を装置外に排出するともに、遮熱装置８、画像形成部（作像プロセス部）、トナークリーニング装置６を冷却する。
【００９７】
このようにして、これ等の装置の「温度制約」が良好に維持される。
【００９８】
図８は、開閉カバー９を開いた状態における冷却気流Ｂの状態を示す図である。
【００９９】
開閉カバー９が開かれたことにより、遮熱装置８のダクトの切換板１４による入口が開放され、開口部２１も開放される。
【０１００】
これにより、ダクトにおける「冷却気流の流路」が形成される。  
このとき、ファン２０は「装置本体の外部からの冷却空気」を装置内に送り込む。  
なお、遮熱装置における「ダクトの奥側（ファン２０の側）」は構造上「ファン２０に向かって」開いている。
【０１０１】
ファン２０を上記の如く動作させると、ファン２０により送り込まれた冷却空気は気流Ｂとなって、開口部２１から定着装置７側へ流れて、定着装置７を冷却する。
【０１０２】
このとき、開放されたダクト入口部からも「装置外の低温の空気」が流れ込み、同じく気流Ｂとして、開口部２１から定着装置７側へ流れて定着装置７を冷やす。
【０１０３】
開閉カバー９を開くときは、画像形成装置内部へのアクセスが必要なときであるが、上記の如く定着装置７の冷却が良好に行なわれる。
【０１０４】
従って、熱定着装置７の温度が「火傷しない温度」まで冷却する時間を短くでき、作業性が向上する。
【０１０５】
以上のような構成より、定着装置７の近傍に「温度制約」のある画像形成部２ｄやトナークリーニング装置６を配置して、画像形成装置をコンパクト化できる。
【０１０６】
そして、画像形成部やトナークリーニング装置を十分に冷却でき、温度制約を維持することができる。
【０１０７】
また、作業者が定着装置７等にアクセスする場合「定着装置７が火傷しない温度に冷却するまでの時間」を短縮できる。
【０１０８】
なお、図１〜図８に図示されていないが、遮熱装置８は「開閉カバー９が閉じたとき、開閉カバー９を装置本体側に固定する機能」を有することができる。
【０１０９】
例えば、開閉カバー９の側にはロック爪を儲け、遮熱装置８には「ロック爪を掛け止める掛け止め機構」を設けることができる。
【０１１０】
このように遮熱装置８には、遮熱装置本来の機能以外の機能を付与することができ、画像形成装置のコンパクト化に資することができる。
【０１１１】
上記の実施の形態において、遮熱装置のダクト部の入口を切換板１４で開閉する場合と、切換板１４を用いない場合（入口が常に開いている場合）の効果を比較した。
【０１１２】
即ち、切換板１４を用いる場合と用いない場合における「気流経路Ａを流れる空気流の、流速と熱伝達率」を、熱気流シミュレーションにより比較した。
【０１１３】
開閉カバーは「閉じた状態」としている。
【０１１４】
結果は以下のごとくになった。  
風速                  熱伝達率  
切換板１４なし            Ｆ                      Ｈ      
切換板１４あり            １．３５Ｆ            １．２７Ｈ          。
【０１１５】
このように、切換板１４がない場合における風速：Ｆ、熱伝達率：Ｈに対し、切換板１４がある場合にける風速は１．３５倍となり、熱伝達率は１．２７倍となった。
【０１１６】
切換板１４を閉ざすことにより「気流の断面積」が実質的に気流経路１Ａの断面積に近いものとなり、これに応じて流速が増大し、熱伝達率の向上が齎されたものである。
【０１１７】
即ち、切換板１４を用いることにより、画像形成部２ａ〜２ｄやトナークリーニング装置６の冷却効果が高まる。
【符号の説明】
【０１１８】
２ｄ    画像形成部の作像プロセス部  
６      トナークリーニング装置  
７      定着装置  
８      遮熱装置  
９      開閉カバー  
１０    滑車  
１２    バネ  
１３    ワイヤ  
【先行技術文献】
【特許文献】
【０１１９】
【特許文献１】特許第４１７４１１９号公報
【図１】
2014006435.tif 000003
【図２】
2014006435.tif 000004
【図３】
2014006435.tif 000005
【図４】
2014006435.tif 000006
【図５】
2014006435.tif 000007
【図６】
2014006435.tif 000008
【図７】
2014006435.tif 000009
【図８】
2014006435.tif 000010